(57)【特許請求の範囲】
【請求項１】
円形状の開口部を備えた支持台と、
前記支持台の円形状の開口部の内側に回動自在に係合している回転体と、
前記回転体の中央に立脚する、断面が三角形状の支柱と、
前記の支柱廻りには３個、かつ支柱の上方から下方に向かって一定の間隔をもって複数個形成された開口部と、
前記開口部に着脱可能に係合する板部材を備えたハンガー掛けとを有し、
該ハンガー掛けは、前記板部材に固定する固定腕部と、該８固定部材から延在して、前記支柱の軸中心から一定の距離だけ離隔させる外出し腕部と、前記外出し腕部から延在してなるハンガー掛け腕部とからなり、
該ハンガー掛け腕部は、前記板部材の面に対してほぼ直角の方向に曲げられているハンガー収納具。
【請求項２】
前記板部材は、一端がU形状に、他端がL字形状に屈曲された係合部を備えていることを特徴とする請求項１に記載のハンガー収納具。
【請求項３】
前記ハンガー掛け腕部の先端は上側に向かって湾曲されて形成されていることを特徴とする請求項１または２のいずれかに記載のハンガー収納具。
【請求項４】
前記ハンガー掛け腕部と前記外出し腕部との間には、ハンガーが該ハンガー掛け部から外出し腕部側に移動しないように、移動禁止用の突起部が形成されている請求項１乃至３のいずれか一に記載のハンガー収納具。
【発明の詳細な説明】
【０００１】
【産業上の利用分野】
本発明は衣服を掛けるハンガーの収納具に関し、特に支持台に対して回動可能な支柱に、ハンガー掛け腕部を備えたハンガーの収納具に関する。
【０００２】
【従来の技術】
従来より、回転可能なハンガー収納具として、例えば本願出願人による回転ハンガー収納具（実開昭４−５１２４１号公報）がある。
【０００３】
この回転ハンガー収納具によれば、中央の支柱は固定しており、ハンガー収納基体が該支柱の廻りを３６０°回転可能にするものであって、これにより衣服の取り出しを容易にするものである。
【０００４】
また、ハンガーの収納具ではないが、床に固定した支持台の上に立脚した支柱が回動する構成のものがある。例えば、本屋の店先には、該支柱に本を載せる台が取り付けてあり、台を回すことにより、所望の本を容易に手前に移動させるものである。
【０００５】
【発明が解決しようとする課題】
ところで、使用する衣服の種類は季節により変わり、また年齢や性別によっても変わるから、ハンガーに掛ける衣服の種類も季節により変わり、また年齢や性別によって変わる。
【０００６】
冬物のコートや女性のドレスは丈が長いので、ハンガーを掛ける位置が高くないと裾が床に垂れることがある。また、丈の短いブラウスを掛けるときには、下方に隙間が空いて使用効率が低くなるという問題がある。
【０００７】
さらに、支柱の廻りに複数のハンガー掛け用の腕を設けるとき、ハンガー同士がぶつかったり、ハンガーに掛けた衣服の袖が絡み合って、衣服の取り出しが円滑にいかない場合がある。
【０００８】
本発明はかかる従来の問題点に鑑みて創作されたものであり、ハンガー掛けを取り付ける高さの位置を簡便に変えることを可能にするとともに、回転自在の支柱の廻りに設けたハンガー掛けに掛けた衣服同士が接触しないようにしたハンガー収納具の提供を目的とする。
【０００９】
【課題を解決するための手段】
上記目的を達成するために、円形状の開口部を備えた支持台と、前記支持台の円形状の開口部の内側に回動自在に係合している回転体と、前記回転体の中央に立脚する、断面が三角形状の支柱と、前記の支柱廻りには３個、かつ支柱の上方から下方に向かって一定の間隔をもって複数個形成された開口部と、前記開口部に着脱可能に係合する板部材を備えたハンガー掛けとを有し、該ハンガー掛けは、前記板部材に固定する固定腕部と、該固定部材から延在して、前記支柱の軸中心から一定の距離だけ離隔させる外出し腕部と、前記外出し腕部から延在してなるハンガー掛け腕部とからなり、該ハンガー掛け腕部は、前記板部材の面に対してほぼ直角の方向に曲げられていることを特徴とする。
【００１２】
これによれば、固定腕部と、外出し腕部と、ハンガー掛け部とがそれぞれ直交するように形成され、かつ該外出し腕部が、断面が三角形状の支柱の軸中心から一定の距離だけ離隔した状態で対称的に配されているので（図７参照）、各外出し腕部に掛けたハンガー掛けの衣服が、隣接する他の外出し腕部に掛けたハンガー掛けの衣服に接触するのを防止することが可能となる。
【００１３】
また本願発明のハンガー掛けの板部材は、一端がＵ字形状に、他端がＬ字形状に屈曲された係合部を備えている。
【００１４】
これにより、前記支柱の開口部に取り付けるとき、Ｕ字形状の上端部が引っ掛かる状態で開口部の一つに係合するとともに、Ｌ字形状の下端部が下の別の開口部に挿入した状態で係合するので、安定な係合状態が得られるとともに、取外すときにはＵ字形状の上端部を少し上に引き上げるようにすることにより、開口部との係合を容易に解くことが可能になる。
【００１７】
また前記ハンガー掛け腕部の先端は上側に向かって湾曲されて形成され、ハンガーの落下防止用の止め具となっている。
【００１８】
また、本願発明のハンガー掛け腕部と外出し腕部との間には、ハンガーがハンガー掛け腕部側から外出し腕部側に移動しないように、移動禁止用の突起部が形成されている。
【００１９】
また、本願発明の前記支柱は、三角柱、四角柱、又は円柱でもよい。
【００２０】
【実施の形態】
以下、本発明に係る実施の形態を、図を参照しながら詳細に説明する。
【００２１】
図１は本発明の実施の形態に係るハンガー収納具の正面図、図２は本発明の実施の形態に係るハンガー収納具の左側面図、また、図３は上面図である。
【００２２】
図において、１は円板状の支持台、２はネジ留めにより支持台１に取り付けられたドーナツ状の補助台である。３はドーナツ状の補助台２の内側にボールベアリング等を介して該補助台２に対して回動自在に係合する回転体であり、４はネジ留めにより回転体３に取り付けられた断面が三角形状の支柱である。
【００２３】
５は支柱に設けられた横に細長状の開口部であり、支柱の上方から下方に向かって一定の間隔をもって複数個形成されている。また、支柱廻りには３個形成されている。
【００２４】
６は開口部５に着脱自在に係合する板材であり、ハンガー掛け７が取り付けられている。
【００２５】
図４（ａ）は、三角形状の支柱４の拡大断面図であり、図４（ｂ）に示す断面形状をもつ板を三枚により形成している。なお、この図（ｂ）に示す板は、通常の平板に横長の開口部５を板の長手方向に複数個、形成した後、曲げ加工を施すことにより製作することができる。
【００２６】
また、図５（ａ）は板材が支柱に取り付けられた状態を示す部分拡大正面図であり、図５（ｂ）は図５（ａ）の一部切り欠き側断面図である。
【００２７】
図４および図５に示すように、板の断面を特殊な形状にすることにより、支柱としての構造上の強度の向上、とともに、後述するように、開口部５に係合する板材６の係合状態を安定させることが可能となる。また外観上の美観も向上する。  図６は、支柱４の開口部５に着脱自在に係合する板材６に取り付けられたハンガー掛け７の構成を示す斜視図である。
【００２８】
図において、板材６の一端は断面がＵ字状に折り曲げられた端部６ａを有し、他端は断面がＬ字状に折り曲げられた端部６ｂを有している。また、ハンガー掛け７はパイプからなり、所定の方向に屈曲させることにより、固定腕部７ａ、外出し腕部７ｂ、およびハンガー掛け腕部７ｃを形成している。固定腕部７ａは、不図示のネジ留めにより板材６の上面に沿って取り付けられる部分であり、外出し腕部７ｂは固定腕部７ａから延在し、板材７の面に並行した平面内で固定腕部７ａに対してほぼ直角方向に曲げられている。さらに、ハンガー掛け腕部７ｃは、外出し腕部７ｂから延在し、外出し腕部７ｂに対してほぼ直角方向に、かつ板材７の平面に対して垂直な方向に曲げられている。
【００２９】
このように、固定腕部７ａ、外出し腕部７ｂ、ハンガー掛け腕部７ｃを形成することにより、後述するように、最小の床占有面積で、隣接するハンガー掛けの衣服の干渉を防止しながら、最多のハンガーを掛けることが可能になる。
【００３０】
固定腕部７ａ、外出し腕部７ｂ、ハンガー掛け腕部７ｃの実用的な長さは、それぞれ、６〜１０ｃｍ、１２〜１８ｃｍ、２０〜２６ｃｍが好ましいが、適宜変更可能であることは勿論である。
【００３１】
また、ハンガー掛け腕部７ｃの先端７ｄをやや上方向に曲げることにより、ハンガー掛け腕部７ｃからハンガーがずり落ちないようにすることが好ましい。
【００３２】
図７は支柱から延びた３本のハンガー掛け７に衣服を掛けた状態を示す上面図であり、一点鎖線で示す範囲は衣服が占める領域８を示している。このように、本発明の実施の形態によれば、隣接するハンガー掛けに掛けた衣服が互いに干渉することなく、最小の面積で最多の衣服を収納することが可能となる。
【００３３】
また、板材６が各開口部５に着脱自在であるので、コートやドレス等、丈の長い衣服については板材を最も高い開口部に取付けることにより、裾を床につけることなく掛けることができるとともに、通常の背広や上着、ズボン、スカート等、比較的、丈の短い衣服については板材６を最も高い位置と中間の位置に設けることによりハンガーの２段掛けをすることができる。
【００３４】
図８は別の実施の形態に係るハンガー収納具の支柱を示す図であり、図８（ａ）は四角柱９、図８（ｂ）は円柱１０である。また、図９は円柱１０の場合の衣服を掛けた状態を示す上面図である。
【００３５】
以上、各実施の形態について説明したが、支柱を長くする場合は運搬が不便であるから、短い支柱を上下連結するように構成してもよいし、開口部の形状も縦に細長にしてのよいし、あるいは円形状にしてもよい。さらに、パイプの曲げ形状も本願発明の範囲内で適宜、変更可能であることは勿論である。
【００３６】
【発明の効果】
以上説明したように、本発明のハンガー収納具によれば、ハンガー掛けの曲げ形状を工夫したことにより、隣接するハンガー掛けに掛けた衣服が互いに干渉することなく、最小の占有面積で最多のハンガーを収納することが可能となる。
【００３７】
また、回転自在の支柱に複数の開口部を設け、該開口部に着脱自在の板材を介してハンガー掛けを係合させることができるので、衣服等の丈が異なってもそれに応じて調整が可能であるので、極めて便利である。
【図面の簡単な説明】
【図１】  図１は本発明の実施の形態に係るハンガー収納具の正面図である。
【図２】図２は本発明の実施の形態に係るハンガー収納具の左側面図である。
【図３】図３は本発明の実施の形態に係るハンガー収納具の上面図である。
【図４】図４（ａ）は本発明の実施の形態に係るハンガー収納具の３角支柱の部分拡大側面図、図４（ｂ）は図４（ａ）の３角支柱を構成する一枚の板の断面図である。
【図５】図５（ａ）は板材６が支柱に取り付けられた状態を示すの部分拡大正面図、図５（ｂ）は図５（ａ）の一部切り欠き側断面図である。
【図６】図６は、支柱４の開口部５に着脱自在に係合する板材６に取り付けられたハンガー掛け７の構成を示す斜視図である。
【図７】図７は支柱から延びた３本のハンガー掛け７に衣服を掛けた状態を示す上面図である。
【図８】図８は別の実施の形態に係るハンガー収納具の支柱を示す図である。
【図９】図９は円柱１０の場合の衣服を掛けた状態を示す上面図である。
【符号の説明】
１…支持台、
２…補助台、
３…回転体、
４…支柱、
５…開口部、
６…板材、
６ａ…Ｕ字形状の端部、
６ｂ…Ｌ字形状の端部、
７…ハンガー掛け、
７ａ…固定腕部、
７ｂ…外出し腕部、
７ｃ…ハンガー掛け腕部、
７ｄ…先端、
７ｅ…突起部。
８…衣服が占める領域、
９…四角柱、
１０…円柱。
【図１】
0004079529.tif 000002
【図２】
0004079529.tif 000003
【図３】
0004079529.tif 000004
【図４】
0004079529.tif 000005
【図５】
0004079529.tif 000006
【図６】
0004079529.tif 000007
【図７】
0004079529.tif 000008
【図８】
0004079529.tif 000009
【図９】
0004079529.tif 000010